(57)【要約】【課題】顧客のニーズに応じた満足度の高い画像を効率良く短時間で提供することができる画像記録装置を提供する。【解決手段】テーマパークにおいて自動撮影された撮影画像は画像表示画面４２に、購入手続操作用の画面は手続用画面４４に同時に表示される。顧客が画像を確認するとホルダ選択用の画面が手続用画面４４に表示され、ホルダが選択されると手続用画面４４にはプリント枚数指定のための画面が表示される。店員は顧客がホルダ選択について考慮している間又はプリント枚数について考慮している間に顧客に指定された人物を含む領域を定めるべくトリミング枠５６の設定作業を行う。ホルダが選択されると共に枚数が指定され、かつトリミング枠の設定作業が終了すると、設定されたトリミング枠内の画像が画像表示画面４２に拡大表示され、ＯＫボタン５２が押下されると、その画像がプリントされる。【選択図】      図４
2004228841.tif 000002
【特許請求の範囲】
【請求項１】
撮影画像を入力する入力手段と、
前記撮影画像及び撮影画像に関する処理結果を表示する画像表示画面と、前記撮影画像の少なくとも一部を含む画像が記録された記録媒体の購入手続に関する手続用画面とを同一画面に表示する表示手段と、
前記画像表示画面に表示された前記撮影画像から抽出対象領域を指定する指定操作及び前記購入手続の手続操作を行うための操作手段と、
前記撮影画像から前記抽出対象領域の画像を抽出する抽出手段と、
前記抽出手段により抽出された抽出画像を前記記録媒体に記録する記録手段と、
を備えた画像記録装置。
【請求項２】
前記操作手段は、前記指定操作及び前記手続操作を各々独立して実行可能であり、前記表示手段は、前記画像表示画面及び前記手続用画面を各々独立して変更可能であることを特徴とする請求項１記載の画像記録装置。
【請求項３】
前記撮影画像は、テーマパークにおいて人物が搭乗した状態を撮影した画像であることを特徴とする請求項１又は請求項２記載の画像記録装置。
【発明の詳細な説明】
【０００１】
【発明の属する技術分野】
本発明は、画像記録装置に係り、より詳しくは、テーマパークの乗り物アトラクションにおいて人物が搭乗した状態を撮影した撮影画像を記録媒体に記録する画像記録装置に関する。
【０００２】
【従来の技術】
従来、遊園地などのテーマパークにおいて、ジェットコースター等の乗り物に搭乗中の顧客を自動撮影し、これをプリントして販売するプリントサービスがある。
【０００３】
このプリントサービスでは、乗り物の移動経路の途中等に予め設置されたカメラにより、カメラの設置位置に移動してきた乗り物に搭乗中の顧客を自動撮影する。そして、アトラクション終了後、自動撮影した画像を出口付近等に設置されたディスプレイに表示する。これを顧客が確認してプリントを購入するか否かを判断し、購入する場合には、販売ブースにおいて、自分が撮影された撮影画像を指定してプリントを依頼する。
【０００４】
しかしながら、従来のプリントサービスでは、乗り物全体を撮影した画一的な画像しかプリントされなかった。このため、顧客は他人等の本来必要とされない部分までプリントされたものしか得ることができず、満足度の高いサービスとは言えなかった。
【０００５】
ところで、指定されたプリントサイズに応じて撮影画像を拡大又は縮小してプリントする技術（例えば特許文献１参照）が知られている。
【０００６】
【特許文献１】
特開２００１−２３５８０１号公報
【０００７】
【発明が解決しようとする課題】
しかしながら、上記特許文献１に記載された技術は、指定されたプリントサイズに応じて撮影画像全体を拡大又は縮小してプリントするだけであり、これを上記のようなテーマパークにおけるプリントサービスに適用しても満足度の高い画像を得ることはできない。
【０００８】
また、従来では、販売ブースにおけるプリント注文は、一例として図５に示すような流れで行っていた。まず顧客が撮影番号を店員に指示すると、図５（Ａ）に示すように、指示された撮影番号に対応した撮影画像２００がプリント装置のモニタ２０１に表示される。ここで、顧客は自身が写っていることを確認する。
【０００９】
そして、操作画面２０２の中のＯＫボタン２０４が押下されると、図５（Ｂ）に示すように、撮影画像を装飾するためのホルダとしてのテンプレート画像２０６の選択画面が表示される。ここで顧客は複数種類のテンプレート画像の中から所望のテンプレート画像を選択する。
【００１０】
ホルダを選択し、Ｅｎｔｅｒボタン２０８が押下されると、図５（Ｃ）に示すように、撮影画像２００及びトリミング操作画面２１０が表示される。ここで、顧客は、トリミングしたい領域、すなわちプリントしたいおおよその領域を店員に指示し、店員は指示に従ってトリミング枠２１２表示させる。
【００１１】
顧客がトリミング枠２１２を確認し、ＯＫボタン２０４が押下されると、図５（Ｄ）に示すように、トリミング枠２１２内の画像、すなわちプリント対象の画像が拡大されて表示される。ここで顧客が画像を確認してＯＫボタン２０４が押下されると、図５（Ｅ）に示すように、枚数指定画面２１４が表示され、枚数を店員に指示する。店員が枚数を入力してＯＫボタン２０４を押下すると、トリミング枠２１２で指定した画像とテンプレート画像とが合成された合成画像が印刷され、顧客に渡される。
【００１２】
このように、従来のプリント注文では、撮影画像確認、ホルダ選択、トリミング枠確認、最終画像確認、枚数確認の順で作業を行っていた。すなわち、画像の調整作業及び購入手続の作業をそれぞれ独立して時系列的に行っていたが、顧客はホルダ選択に長時間を費やす傾向があり、その間は作業が中断してしまう。このため、一連の作業が終了するまでに長時間を要する場合があり、プリント効率が悪化して、プリント購入希望者の待ち行列が長くなる場合がある、という問題があった。特に、テーマパークのように大勢の顧客が来場する場所でこのようなプリントサービスを行う場合には、プリント効率を少しでも向上させる必要がある。
【００１３】
本発明は、上記事実に鑑みて成されたものであり、顧客のニーズに応じた満足度の高い画像を効率良く短時間で提供することができる画像記録装置を提供することを目的とする。
【００１４】
【課題を解決するための手段】
上記目的を達成するために、請求項１記載の発明は、撮影画像を入力する入力手段と、前記撮影画像及び撮影画像に関する処理結果を表示する画像表示画面と、前記撮影画像の少なくとも一部を含む画像が記録された記録媒体の購入手続に関する手続用画面とを同一画面に表示する表示手段と、前記画像表示画面に表示された前記撮影画像から抽出対象領域を指定する指定操作及び前記購入手続の手続操作を行うための操作手段と、前記撮影画像から前記抽出対象領域の画像を抽出する抽出手段と、前記抽出手段により抽出された抽出画像を前記記録媒体に記録する記録手段と、を備えたことを特徴とする。
【００１５】
この発明によれば、入力手段により入力された撮影画像は表示手段によって表示される画像表示画面に表示される。
【００１６】
表示手段は、画像表示画面及び手続用画面を同一画面に表示する。画像表示画面には、入力手段によって入力された撮影画像の他、撮影画像に関する処理結果、例えば後述する抽出手段により撮影画像の一部が抽出された場合の抽出画像等も表示される。また、手続用画面には、撮影画像の少なくとも一部を含む画像が記録された記録媒体の購入手続に関する画面、例えば記録する画像の大きさ等の記録形式や記録する画像の数等を指定するための画面が表示される。
【００１７】
操作手段は、画像表示画面に表示された撮影画像から所望の抽出対象領域を指定するための指定操作及び撮影画像の少なくとも一部を含む画像が記録された記録媒体を購入するための手続操作を行うためのものである。
【００１８】
表示手段の画像表示画面に表示された撮影画像から所望の抽出対象領域を指定するためのものである。操作手段を操作することにより指定された抽出対象領域の画像は、抽出手段によって抽出される。
【００１９】
操作手段による抽出対象領域の指定は、例えば矩形状等の予め定めた形状の領域を指定するようにしてもよいし、抽出対象領域そのものの輪郭を指定するようにしてもよい。
【００２０】
記録手段は、抽出された抽出画像を記録媒体、例えば印画紙に記録する。これにより、顧客は余分な画像が省かれた満足度の高い画像が得ることができる。印画紙に抽出画像を記録する場合、記録手段は、印画紙に抽出画像を焼き付け露光し、現像処理等を施す。これにより抽出画像が印画紙上に形成される。また、メモリカード等の記録媒体に抽出画像を記録するようにしてもよい。なお、抽出画像と予め定めたテンプレート画像とを合成した合成画像を記録するようにしてもよい。
【００２１】
このように、画像表示画面と手続用画面とが同一画面に表示されるため、例えば操作者が画像表示画面に表示された撮影画像について操作手段により抽出対象領域を指定している間に、顧客は手続用画面を参照することができる。従って、抽出対象領域の指定が終了しなくても購入手続に関してどのような項目があるのかを把握することができ、それらの項目に関してどのような手続をするかを予め選択しておくことが可能となる。
【００２２】
このため、従来のように購入手続や画像の調整を順に行う場合と比較して、一連の作業を短時間で行うことができ、記録効率を大幅に向上させることができる。
【００２３】
請求項２記載の発明は、前記操作手段は、前記指定操作及び前記手続操作を各々独立して実行可能であり、前記表示手段は、前記画像表示画面及び前記手続用画面を各々独立して変更可能であることを特徴とする。
【００２４】
この発明によれば、指定操作及び手続操作を各々独立して実行可能であり、表示手段は、画像表示画面及び手続用画面を各々独立して変更可能であるため、指定操作が終了する前に、購入に関する手続操作を進めて手続用画面を次々に変更することも可能となる。これにより、より記録効率を高めることができる。
【００２５】
請求項３記載の発明は、前記撮影画像は、テーマパークにおいて人物が搭乗した状態を撮影した画像であることを特徴とする。
【００２６】
この発明によれば、テーマパークにおいて人物が搭乗した状態を撮影した撮影画像について上記の発明を適用する。このため、テーマパークの顧客に対して満足度の高い画像を効率よく短時間で提供することができ、上記発明の効果をより大きなものとすることができる。
【００２７】
【発明の実施の形態】
以下、図面を参照して本発明の実施の形態の一例について詳細に説明する。なお、本実施の形態は、テーマパークにおける乗り物アトラクションにおいて、顧客が搭乗した状態を自動撮影した撮影画像をプリントするサービスについて本発明を適用したものである。
【００２８】
まず、プリントサービスの概略を説明する。図１には、テーマパークにおける乗り物アトラクションにおいて、撮影からプリントを受け取るまでの流れを概略的に示した。
【００２９】
図１に示すように、テーマパークにおいて、顧客１０が搭乗した乗り物としてのジェットコースター１２が、撮影装置１４が設置された撮影ポイントに差し掛かると、撮影装置１４によりジェットコースター１２全体が自動的に撮影される。
【００３０】
自動撮影された撮影画像は、アトラクションの出口付近に設置された大型ディスプレイ１６に表示される。大型ディスプレイ１６には、撮影順に撮影画像１８が撮影番号と共に表示される。
【００３１】
アトラクションが終了し、ジェットコースター１２から降りた顧客１０は、大型ディスプレイ１６に表示された撮影画像１８の中から自身が撮影された撮影画像を確認し、プリントの購入を希望する場合には、販売ブース２０において自身が撮影された撮影画像の撮影番号を告げる。
【００３２】
販売ブース２０には、プリント装置２２が設置されており、このプリント装置２２には、撮影画像の画像データが蓄積されている。店員２４は、所定の操作を行って顧客１０から告げられた撮影番号の撮影画像をモニタ２６に表示させる。そして、顧客１０に対してプリントしたい人物を指定してもらう。そして、店員２４は、指定された人物を含む領域をトリミング指定する操作を行う。また、モニタ２６には、詳細は後述するが、撮影画像を装飾するためのホルダとしてのテンプレート画像の選択やプリント枚数等の購入手続に関する手続用画面が表示され、顧客１０は必要に応じてテンプレート画像の選択や枚数の選択を店員２４に指示する。
【００３３】
そして、プリント装置２２は、トリミング指定されると、そのトリミング指定された領域の画像を撮影画像から抽出し、この抽出された画像と選択されたテンプレート画像との合成画像を生成し、生成した合成画像のプリント２８を出力する。顧客１０はこのプリントの代金を支払ってプリント２８を受け取る。
【００３４】
このように、プリントしたい人物のみをテンプレート画像と合成するため、余計な部分が印刷されず、顧客にとっては満足度の高いプリントを得ることができる。
【００３５】
次に、プリント装置２２の概略構成について説明する。図２には、プリント装置２２の概略ブロック図を示した。
【００３６】
図２に示すように、プリント装置２２は、制御部３０、入力部３２、操作部３４、表示部３６、記憶部３８、印刷部４０等を含んで構成される。
【００３７】
入力部３２は、撮影装置１４で撮影された撮影画像を取り込むためのインターフェースである。
【００３８】
撮影装置１４は例えばデジタルカメラ及び通信装置等を含んで構成され、入力部３２及び大型ディスプレイ１６とは有線又は無線により接続される。撮影装置１４で撮影された撮影画像の画像データ及び撮影番号は、大型ディスプレイ１６及びプリント装置２２の入力部３２に送信される。
【００３９】
撮影装置１４から送信された撮影画像の画像データ及び撮影番号は、記憶部３８に順次記憶される。
【００４０】
操作部３４は、撮影画像の指定や撮影画像中の人物の指定等の画像調整に関する各種指定や購入手続に関する各種操作をするためのものであり、キーボードやマウス等を含んで構成される。
【００４１】
表示部３６は、撮影装置１４で撮影された撮影画像及び撮影番号、合成画像、操作結果等を表示する。
【００４２】
なお、操作部３４と表示部３６とを一体化し、タッチパネルにより構成してもよい。これにより、処理効率を高めることができる。
【００４３】
記憶部３８は、撮影装置１４で撮影された撮影画像や処理結果、複数のホルダとしてのテンプレート画像等が記憶される。
【００４４】
印刷部４０は、印画紙にテンプレート画像とトリミング指定された領域の画像との合成画像を焼き付け露光する露光装置や合成画像が焼き付けられた印画紙を現像処理する現像装置等を含んで構成される。
【００４５】
制御部３０は、各部を統括制御すると共に、撮影画像からトリミング指定された領域の画像を抽出する処理や、抽出した画像とテンプレート画像との合成画像を生成する処理等を行う。
【００４６】
なお、制御部３０は本発明の抽出手段に相当し、入力部３２は本発明の入力手段に相当し、操作部３４は本発明の操作手段に相当し、表示部３６は本発明の表示手段に相当し、印刷部４０は本発明の記録手段に相当する。
【００４７】
次に、本実施の形態の作用として、制御部３０で実行される制御ルーチンについて、図３に示すフローチャートを参照して説明する。なお、図３に示す制御ルーチンは、所定時間毎に実行される。
【００４８】
まず、ステップ１００において、撮影装置１４からの撮影画像の画像データ及び撮影番号を入力部３２が受信したか否かを判断する。そして、撮影装置１４による撮影が行われ、撮影画像の画像データ及び撮影番号を受信した場合には、ステップ１０２へ移行し、撮影装置１４による撮影が行われておらず、撮影画像の画像データ及び撮影番号を受信していない場合には、ステップ１０４へ移行する。
【００４９】
ステップ１０２では、受信した撮影画像の画像データ及び撮影番号を記憶部３８に記憶する。
【００５０】
ステップ１０４では、店員２４が操作部３４を操作することにより撮影番号が入力されたか否かが判断される。そして、プリント購入を希望する顧客１０により撮影番号が店員２４に告げられ、撮影番号が入力された場合には、ステップ１０６へ移行し、撮影番号が入力されていない場合には、本ルーチンを終了する。
【００５１】
ステップ１０６では、入力された撮影番号に対応する撮影画像の画像データを記憶部３８から読み出し、表示部３６へ表示させる。
【００５２】
表示部３６には、図４（Ａ）に示すように、撮影画像が表示された画像表示画面４２と、購入手続に関する手続用画面４４とが表示される。
【００５３】
手続用画面４４には、撮影番号４６や撮影時刻４８、操作ボタン群５０、ＯＫボタン５２等が表示される。店員２４が操作ボタン群５０を操作ボタン群５０を操作して撮影番号を入力することにより、その撮影番号に対応した撮影画像が画像表示画面４２に表示される。ここで、顧客１０は、表示された撮影画像に自身が写っているかを確認する。
【００５４】
ステップ１０８では、ＯＫボタン５２が押下されたか否かが判断される。そして、撮影画像が確認され、ＯＫボタン５２が押下された場合には、ステップ１１０へ移行し、ＯＫボタン５２が押下されていない場合には、押下されるまで待機する。
【００５５】
ステップ１１０では、図４（Ｂ）に示すように、プリント対象の画像を装飾するためのホルダとしてのテンプレート画像の選択画面を手続用画面４４に表示する。この画面では、顧客１０が選択すべき複数のテンプレート画像５４が表示される。
【００５６】
ここで、顧客１０は、撮影画像の中から自身が写っている部分を店員２４に指示する。これにより、店員２４は、画像表示画面４２を参照しながら操作部３４を操作し、顧客１０により指定された部分を含む印刷対象領域を指定するためのトリミング枠５６の設定作業に入る。また、顧客１０は、手続用画面４４を参照し、希望するテンプレート画像を店員２４に指示する。
【００５７】
ステップ１１２では、ホルダとしてのテンプレート画像５４の選択操作がなされたか否かが判断され、ホルダの選択操作がなされた場合には、ステップ１１４へ移行し、ホルダの選択操作がなされていない場合には、ホルダの選択操作がなされるまで待機する。なお、この間にも店員２４は、画像表示画面４２においてトリミング枠の設定作業を行うことができる。すなわち、店員２４は、顧客１０がホルダの選択及びプリント枚数の選択について考慮している間にトリミング枠の設定作業を行うことができる。
【００５８】
ステップ１１４では、図４（Ｃ）に示すように、手続用画面４４に購入枚数を指定するための操作ボタン群５０及びＯＫボタン５２が表示される。ここで、顧客１０は購入枚数を店員２４に指示する。
【００５９】
ステップ１１６では、購入手続が終了したか否か、すなわち、枚数指定の操作がなされたか否かが判断され、枚数指定の操作がなされた場合には、ステップ１１８へ移行し、枚数指定の操作がなされていない場合には、枚数指定の操作がなされるまで待機する。
【００６０】
ステップ１１８では、トリミング枠の設定作業が終了したか否かが判断され、トリミング枠の設定作業が終了している場合には、ステップ１２２へ移行し、トリミング枠の設定作業が終了していない場合には、終了するまで待機する。
【００６１】
ステップ１２０では、指定されたトリミング枠内の画像を撮影画像から抽出し、図４（Ｄ）に示すように、抽出した画像を画像表示画面４２に表示する。ここで、顧客１０は、実際にプリントされる画像を確認し、ＯＫか否かを店員２４に指示する。
【００６２】
ステップ１２２では、ＯＫボタン５２が押下されたか否かが判断される。そして、撮影画像が確認され、ＯＫボタン５２が押下された場合には、ステップ１１０へ移行し、ＯＫボタン５２が押下されていない場合には、押下されるまで待機する。
【００６３】
ステップ１２４では、抽出した画像と、顧客１０によって選択されたテンプレート画像５４とを合成する。
【００６４】
ステップ１２６では、生成した合成画像を印刷部４０へ出力する。これにより、印刷部４０では、合成画像を印画紙に焼き付け露光し、合成画像が焼き付けられた印画紙に対して現像処理等を施すことにより、合成画像のプリント２８が作製される。
【００６５】
このように、乗り物アトラクションにおいて自動撮影した撮影画像から所望の人物を含む画像のみを抽出し、これとテンプレート画像５４とを合成するので、余分な人物が省かれたプリントを得ることができ、顧客にとって満足度の高いプリントを得ることができる。
【００６６】
また、画像調整用の画面と購入手続用の画面とを同一画面に表示し、トリミング指定等の画像調整やホルダ選択等の購入手続を各々独立して実行できるように構成したので、顧客１０がホルダ選択やプリント枚数の選択について考慮している間に店員２４がトリミング枠の設定作業を行うことができる等、画像調整と購入手続と並行して行うことができる。これにより、従来のようにそれぞれの手続を順番に行う場合と比較して、一連の作業時間を大幅に短縮することができ、プリント効率を飛躍的に高めることができる。
【００６７】
なお、画像調整作業としてトリミング枠の設定作業以外にも色調整等の画質調整の作業を含めるようにしてもよく、購入手続作業としてホルダ選択、枚数選択以外にも、プリントサイズの大きさ選択等の他の作業を含めるようにしてもよい。
【００６８】
また、本実施の形態では、抽出した画像とテンプレート画像とを合成した画像をプリントする場合について説明したが、これに限らず、抽出した画像をそのままプリントしてもよい。
【００６９】
また、本実施の形態では、テーマパークのアトラクションで自動撮影された撮影画像に本発明を適用した場合について説明したが、これに限らず、他で撮影された撮影画像に本発明を適用してもよい。
【００７０】
さらに、本実施の形態では、合成対象の画像が人物の画像の場合について説明したが、これに限らず、合成対象の画像が人物以外の画像でもよい。
【００７１】
【発明の効果】
以上説明したように、本発明によれば、顧客のニーズに応じた満足度の高い画像を効率良く短時間で提供することができる、という優れた効果を有する。
【図面の簡単な説明】
【図１】プリントサービスの概略的な流れを示すイメージ図である。
【図２】プリント装置の概略ブロック図である。
【図３】制御部で実行される制御ルーチンのフローチャートである。
【図４】プリント処理における画面の流れを示すイメージ図である。
【図５】従来におけるプリント処理における画面の流れを示すイメージ図である。
【符号の説明】
１０  顧客
１２  ジェットコースター
１４  撮影装置
１６  大型ディスプレイ
１８  撮影画像
２０  販売ブース
２２  プリント装置
２４  店員
２６  モニタ
２８  プリント
３０  制御部
３２  入力部
３４  操作部
３６  表示部
３８  記憶部
４０  印刷部
４２  画像表示画面
４４  手続用画面
５４  テンプレート画像
５６  トリミング枠
【図１】
2004228841.tif 000003
【図２】
2004228841.tif 000004
【図３】
2004228841.tif 000005
【図４】
2004228841.tif 000006
【図５】
2004228841.tif 000007